(57)【要約】【課題】情報表示装置を設置する場所の構成によらず、情報表示装置が設置されている位置を特定することができる。【解決手段】ＥＳＬサーバ３は、第２の電子棚札端末１が設置されている位置を示す情報を記憶する管理装置記憶部と、ハンディ端末５の送信部から送信される情報を受信する管理装置受信部と、第１の電子棚札端末１を一意に特定する情報と、第２の電子棚札端末１を一意に特定する情報と、第２の電子棚札端末１が設置されている位置と第１の電子棚札端末１が設置されている位置との相対位置を示す情報と、第２の電子棚札端末１が設置されている位置を示す情報とに基づいて、第１の電子棚札端末１が設置されている位置を特定する管理装置制御部と、を備える。【選択図】図１
2011093668.tif 000002
【特許請求の範囲】
【請求項１】
情報表示装置と、管理装置と、ハンディ端末とを含む情報表示システムにおいて、
前記ハンディ端末は、
第１の前記情報表示装置が設置されている位置を特定するための基準となる第２の前記情報表示装置が設置されている位置と第１の前記情報表示装置が設置されている位置との相対位置を示す情報の入力を受け付ける入力部と、
第２の前記情報表示装置を一意に特定する情報と、第１の前記情報表示装置を一意に特定する情報と、第２の前記情報表示装置が設置されている位置と第１の前記情報表示装置が設置されている位置との相対位置を示す情報とを前記管理装置に送信する送信部と、
を備え、
前記管理装置は、
第２の前記情報表示装置が設置されている位置を示す情報を記憶する管理装置記憶部と、
前記ハンディ端末の送信部から送信される情報を受信する管理装置受信部と、
第１の前記情報表示装置を一意に特定する情報と、第２の前記情報表示装置を一意に特定する情報と、第２の前記情報表示装置が設置されている位置と第１の前記情報表示装置が設置されている位置との相対位置を示す情報と、第２の前記情報表示装置が設置されている位置を示す情報とに基づいて、第１の前記情報表示装置が設置されている位置を特定する管理装置制御部と、
を備えたことを特徴とする情報表示システム。
【請求項２】
前記入力部は、第２の前記情報表示装置の位置を示す情報の入力を受け付け、
前記送信部は、第２の前記情報表示装置の位置を示す情報を前記管理装置に送信し、
前記管理装置記憶部は、前記送信部から送信された第２の前記情報表示装置の位置を示す情報を記憶する
ことを特徴とする請求項１に記載の情報表示システム。
【請求項３】
前記管理装置制御部は、第２の前記情報表示装置に、当該第２の情報表示装置が設置されている位置情報を示すバーコードを表示させる
ことを特徴とする請求項１または請求項２のいずれか１項に記載の情報表示システム。
【請求項４】
情報表示装置と、管理装置と、ハンディ端末とを含む情報表示システムに含まれる管理装置であって、
第１の前記情報表示装置が設置されている位置を特定するための基準となる第２の前記情報表示装置が設置されている位置を示す情報を記憶する管理装置記憶部と、
第２の前記情報表示装置を一意に特定する情報と、第１の前記情報表示装置を一意に特定する情報と、第２の前記情報表示装置が設置されている位置と第１の前記情報表示装置が設置されている位置との相対位置を示す情報とを受信する管理装置受信部と、
第１の前記情報表示装置を一意に特定する情報と、第２の前記情報表示装置を一意に特定する情報と、第２の前記情報表示装置が設置されている位置と第１の前記情報表示装置が設置されている位置との相対位置を示す情報と、第２の前記情報表示装置が設置されている位置を示す情報とに基づいて、第１の前記情報表示装置が設置されている位置を特定する管理装置制御部と、
を備えたことを特徴とする管理装置。
【請求項５】
前記管理装置制御部は、第２の前記情報表示装置に、当該第２の情報表示装置が設置されている位置情報を示すバーコードを表示させる
ことを特徴とする請求項４に記載の管理装置。
【請求項６】
前記情報表示装置は電子棚札端末である
ことを特徴とする請求項１から請求項３のいずれか１項に記載の情報表示システム。
【発明の詳細な説明】
【技術分野】
【０００１】
本発明は、情報表示システムおよび管理装置に関する。
【背景技術】
【０００２】
ハンディ端末が商品の陳列位置に表示された商品コードを読み取る際に超音波などを出力し、この超音波などを商品棚の周辺に配置したセンサが検知することで、棚アドレスを取得する棚管理システムが知られている（例えば、特許文献１参照）。
【０００３】
また、店舗に設置された什器に什器ＩＤコードを予め貼り付けておき、ハンディ端末で所定の順番で什器ＩＤコードと商品コードを読み取り、読み取り順序から商品の位置を知る方法が知られている（例えば、特許文献２参照）。
【先行技術文献】
【特許文献】
【０００４】
【特許文献１】特開２００４−２５８９７６号公報
【特許文献２】特開平３−１２３９９２号公報
【発明の概要】
【発明が解決しようとする課題】
【０００５】
しかしながら、特許文献１に記載されている技術では、装置が大仕掛けになるという問題がある。また、特許文献２に記載されている技術では、予め店舗に設置された什器に什器ＩＤコードを貼り付けなければならないため、什器の構成を変更するなど現場の状況に応じた作業が困難であるという問題がある。
【０００６】
本発明は上記の点に鑑みてなされたものであり、情報表示装置を設置する場所の構成によらず、情報表示装置が設置されている位置を特定することができる情報表示システムおよび管理装置を提供することを目的とする。
【課題を解決するための手段】
【０００７】
本発明は、情報表示装置と、管理装置と、ハンディ端末とを含む情報表示システムにおいて、前記ハンディ端末は、第１の前記情報表示装置が設置されている位置を特定するための基準となる第２の前記情報表示装置が設置されている位置と第１の前記情報表示装置が設置されている位置との相対位置を示す情報の入力を受け付ける入力部と、第２の前記情報表示装置を一意に特定する情報と、第１の前記情報表示装置を一意に特定する情報と、第２の前記情報表示装置が設置されている位置と第１の前記情報表示装置が設置されている位置との相対位置を示す情報とを前記管理装置に送信する送信部と、を備え、前記管理装置は、第２の前記情報表示装置が設置されている位置を示す情報を記憶する管理装置記憶部と、前記ハンディ端末の送信部から送信される情報を受信する管理装置受信部と、第１の前記情報表示装置を一意に特定する情報と、第２の前記情報表示装置を一意に特定する情報と、第２の前記情報表示装置が設置されている位置と第１の前記情報表示装置が設置されている位置との相対位置を示す情報と、第２の前記情報表示装置が設置されている位置を示す情報とに基づいて、第１の前記情報表示装置が設置されている位置を特定する管理装置制御部と、を備えたことを特徴とする情報表示システムである。
【０００８】
また、本発明の情報表示システムにおいて、前記入力部は、第２の前記情報表示装置の位置を示す情報の入力を受け付け、前記送信部は、第２の前記情報表示装置の位置を示す情報を前記管理装置に送信し、前記管理装置記憶部は、前記送信部から送信された第２の前記情報表示装置の位置を示す情報を記憶することを特徴とする。
【０００９】
また、本発明の情報表示システムにおいて、前記管理装置制御部は、第２の前記情報表示装置に、当該第２の情報表示装置が設置されている位置情報を示すバーコードを表示させることを特徴とする。
【００１０】
また、本発明は、情報表示装置と、管理装置と、ハンディ端末とを含む情報表示システムに含まれる管理装置であって、第１の前記情報表示装置が設置されている位置を特定するための基準となる第２の前記情報表示装置が設置されている位置を示す情報を記憶する管理装置記憶部と、第２の前記情報表示装置を一意に特定する情報と、第１の前記情報表示装置を一意に特定する情報と、第２の前記情報表示装置が設置されている位置と第１の前記情報表示装置が設置されている位置との相対位置を示す情報とを受信する管理装置受信部と、第１の前記情報表示装置を一意に特定する情報と、第２の前記情報表示装置を一意に特定する情報と、第２の前記情報表示装置が設置されている位置と第１の前記情報表示装置が設置されている位置との相対位置を示す情報と、第２の前記情報表示装置が設置されている位置を示す情報とに基づいて、第１の前記情報表示装置が設置されている位置を特定する管理装置制御部と、を備えたことを特徴とする管理装置である。
【００１１】
また、本発明の管理装置において、前記管理装置制御部は、第２の前記情報表示装置に、当該第２の情報表示装置が設置されている位置情報を示すバーコードを表示させることを特徴とする。
【００１２】
また、本発明の情報表示システムにおいて、前記情報表示装置は電子棚札端末であることを特徴とする。
【発明の効果】
【００１３】
本発明によれば、情報表示装置を設置する場所の構成によらず、情報表示装置が設置されている位置を特定することができる。
【図面の簡単な説明】
【００１４】
【図１】本発明の第１の実施形態における電子棚札システムを含んだ販売店システムの構成を示したブロック図である。
【図２】本発明の第１の実施形態における電子棚札端末の構成を示したブロック図である。
【図３】本発明の第１の実施形態におけるＥＳＬサーバの構成を示したブロック図である。
【図４】本発明の第１の実施形態におけるハンディ端末の構成を示したブロック図である。
【図５】本発明の第１の実施形態における電子棚札端末が設置される棚の外観を示した概略図である。
【図６】本発明の第１の実施形態におけるＥＳＬサーバの管理装置記憶部が記憶する管理情報のデータ構造を示した概略図である。
【図７】本発明の第１の実施形態におけるＥＳＬサーバの管理装置記憶部が記憶する管理情報のデータ構造を示した概略図である。
【図８】本発明の第１の実施形態におけるＰＯＳサーバが記憶する商品情報のデータ構造を示した概略図である。
【図９】本発明の第１の実施形態における電子棚札端末の表示部が何も表示していない場合の概略図である。
【図１０】本発明の第１の実施形態における基準棚札である電子棚札端末が表示する基準棚札報知画面を示した概略図である。
【図１１】本発明の第１の実施形態における基準棚札である電子棚札端末が表示する基準棚札商品情報表示画面を示した概略図である。
【図１２】本発明の第１の実施形態における電子棚札端末が表示する商品情報表示画面を示した概略図である。
【図１３】本発明の第１の実施形態におけるＥＳＬサーバの動作手順を示したフローチャートである。
【図１４】本発明の第１の実施形態におけるＥＳＬサーバの動作手順を示したフローチャートである。
【図１５】本発明の第２の実施形態におけるＥＳＬサーバの動作手順を示したフローチャートである。
【図１６】本発明の第３の実施形態におけるＥＳＬサーバの管理装置記憶部が記憶する管理情報データベースのデータ構造を示した概略図である。
【図１７】本発明の第３の実施形態における電子棚札端末が表示する位置情報バーコード表示画面を示した概略図である。
【図１８】本発明の第３の実施形態におけるＥＳＬサーバの動作手順を示したフローチャートである。
【図１９】本発明の第３の実施形態において、電子棚札端末を棚に配置する際の手順を示したフローチャートである。
【図２０】本発明の第３の実施形態において、管理情報データベースが記憶する電子棚札端末の情報に、位置情報と商品情報とを関連付けて記憶させる際の、操作者の作業手順を示したフローチャートである。
【図２１】本発明の第３の実施形態において、管理情報データベースが記憶する電子棚札端末の情報に、位置情報と商品情報とを関連付けて記憶させる際の、ハンディ端末の動作手順を示したフローチャートである。
【図２２】本発明の第３の実施形態において、管理情報データベースが記憶する電子棚札端末の情報に、位置情報と商品情報とを関連付けて記憶させる際の、ＥＳＬサーバの動作手順を示したフローチャートである。
【図２３】本発明の第３の実施形態において、電子棚札端末が表示する情報を変更させる際の、ハンディ端末の動作手順を示したフローチャートである。
【図２４】本発明の第３の実施形態において、電子棚札端末が表示する情報を変更させる際の、ＥＳＬサーバの動作手順を示したフローチャートである。
【図２５】大型電子棚札端末が設置された棚の外観を示した外観図である。
【発明を実施するための形態】
【００１５】
（第１の実施形態）
以下、図面を参照しながら本発明の第１の実施形態について説明する。図１は、本実施形態の電子棚札システムを含んだ販売店システムの構成を示したブロック図である。図示する例では、販売店システムは、電子棚札システム（情報表示システム）と、ＰＯＳ（Ｐｏｉｎｔ  ｏｆ  ｓａｌｅｓ）サーバ６と、ＰＯＳレジスタ７とを備えている。また、電子棚札システムは、電子棚札端末１（情報表示装置）と、ＥＳＬ（Ｅｌｅｃｔｒｏｎｉｃ  ｓｈｅｌｆ  ｌａｂｅｌ、電子棚札）サーバ２（管理装置）と、アクセスポイント３と、中継機４−１〜４−３と、ハンディ端末５とを備えている。
【００１６】
なお、図示する例では、電子棚札システムは、３つの電子棚札端末１と、３つの中継機４−１〜４−３と、１つのハンディ端末５とを備えているが、電子棚札システムは、更に多くの電子棚札端末１と、中継機４−１〜４−３と、ハンディ端末５とを備えることができる。また、当然のことながら、電子棚札システムが備える電子棚札端末１と、中継機４−１〜４−３との数は、図示する例より少なくてもよい。
【００１７】
ＥＳＬサーバ２とＰＯＳサーバ６とはバックヤード１００に設置されている。電子棚札端末１と、アクセスポイント３と、中継機４−１〜４−３と、ＰＯＳレジスタ７とは店舗２００に設置されている。
【００１８】
ＥＳＬサーバ２と、アクセスポイント３、中継機４−１，４−２、ＰＯＳサーバ６およびＰＯＳレジスタ７とは有線ネットワークで接続されており、互いにデータ通信を行うことができる。また、アクセスポイント３と、中継機４−３およびハンディ端末５とは無線ＬＡＮなどの無線ネットワークで接続されており、互いにデータ通信を行うことができる。また、電子棚札端末１と中継機４−１〜４−３とは、近距離無線方式（例えば、ＩＥＥＥ８０２．１５．４）を用いた無線ネットワークで接続されており、互いにデータ通信を行うことができる。これにより、電子棚札端末１とＥＳＬサーバ２とは互いにデータ通信を行うことができる。また、ＥＳＬサーバ２とハンディ端末５とは互いにデータ通信を行うことができる。なお、電子棚札端末１と中継機４−１〜４−３との間の無線ネットワークで近距離無線方式を用いることにより、電子棚札端末１を小型化および長電池寿命化することができ、電子棚札端末１と中継機４−１〜４−３との間の通信速度を高速化することができる。
【００１９】
電子棚札端末１は商品の価格や説明などを表示する。ＥＳＬサーバ２は電子棚札端末１の管理を行う。アクセスポイント３と中継機４−１〜４−３とはデータ通信を中継する。ハンディ端末５は、ＥＳＬサーバ２に入力する情報を受け付け、この情報をＥＳＬサーバ２に送信する。ＰＯＳサーバ６は、商品の情報や、売り上げ情報などを管理する。ＰＯＳレジスタ７は、顧客が購入する商品の精算処理を行う。
【００２０】
次に、電子棚札端末１の構成について説明する。図２は、本実施形態における電子棚札端末１の構成を示したブロック図である。図示する例では、電子棚札端末１は、制御部１１と、表示部１２と、記憶部１３と、無線通信部１４と、電池１５とを備える。
【００２１】
制御部１１は、電子棚札端末１が備える各部の制御を行う。表示部１２は液晶表示装置などであり、商品の名前や商品の価格などを表示する。記憶部１３は、電子棚札端末１の各部が処理の途中で使用するデータを一時記憶する。無線通信部１４は、中継機４−１〜４−３を介して、ＥＳＬサーバ２とデータの送受信を行う。電池１５は、電子棚札端末１が備える各部に電力を供給する。
【００２２】
次に、ＥＳＬサーバ２の構成について説明する。図３は、本実施形態におけるＥＳＬサーバ２の構成を示したブロック図である。図示する例では、ＥＳＬサーバ２は、管理装置制御部２１と、管理装置記憶部２３と、管理装置通信部２４（管理装置受信部）とを備える。
【００２３】
管理装置制御部２１は、ＥＳＬサーバ２が備える各部の制御を行う。管理装置記憶部２３は管理情報データベースを記憶する。管理情報データベースについては後述する。管理装置通信部２４は、アクセスポイント３や中継機４−１〜４−３を介して、電子棚札端末１およびハンディ端末５とデータの送受信を行う。
【００２４】
次に、ハンディ端末５の構成について説明する。図４は、本実施形態におけるハンディ端末５の構成を示したブロック図である。図示する例では、ハンディ端末５は、制御部５１と、表示部５２と、記憶部５３と、無線通信部５４（送信部）と、電池５５と、入力部５６とを備える。
【００２５】
制御部５１は、ハンディ端末５が備える各部の制御を行う。表示部５２は液晶表示装置などであり、入力部５６が入力を受け付けた情報を表示する。記憶部５３は、ハンディ端末５の各部が処理の途中で使用するデータを一時記憶する。無線通信部５４は、アクセスポイント３を介して、ＥＳＬサーバ２とデータの送受信を行う。電池５５は、ハンディ端末５が備える各部に電力を供給する。入力部５６は、バーコードリーダや入力ボタンなどを備え、ＥＳＬサーバ３に入力する情報を受け付ける。
【００２６】
次に、電子棚札端末１が設置される棚について説明する。図５は、本実施形態における電子棚札端末１が設置される棚の外観を示した概略図である。図示する例では、棚１０１と棚１０２とが示されている。
【００２７】
棚１０１は、商品を配置する棚板１１１〜棚板１１４を上から順に備えている。棚板１１１には左側から順に電子棚札端末１−１〜１−３が設置されている。また、棚板１１２には左側から順に電子棚札端末１−４〜１−７が設置されている。また、棚板１１３には左側から順に電子棚札端末１−８〜１−１０が設置されている。また、棚板１１４には左側から順に電子棚札端末１−１１〜１−１２が設置されている。
【００２８】
棚１０２は、商品を配置する棚板１１５〜棚板１１８を上から順に備えている。棚板１１５には左側から順に電子棚札端末１−１３〜１−１５が設置されている。また、棚板１１６には左側から順に電子棚札端末１−１６〜１−１９が設置されている。また、棚板１１７には左側から順に電子棚札端末１−２０〜１−２２が設置されている。また、棚板１１８には左側から順に電子棚札端末１−２３〜１−２４が設置されている。
【００２９】
なお、棚１０１の商品棚番号を「１０１」とする。また、棚１０２の商品棚番号を「１０２」とする。また、棚板１１１〜１１８を特定する情報を「行（縦方向）」とし、上から順に１番から番号を付ける。具体的には、棚板１１１，１１５の行を「１」とする。また、棚板１１２，１１６の行を「２」とする。また、棚板１１３，１１７の行を「３」とする。また、棚板１１４，１１８の行を「４」とする。
【００３０】
また、棚板１１１〜１１８の各段において、電子棚札端末１−１〜１−２４が設置されている位置を「列（横方向）」とし、左側から順に１番から番号を付ける。具体的には、棚板１１１の一番左に設置されている電子棚札端末１−１の列を「１」とする。また、棚板１１１の左から２番目に設置されている電子棚札端末１−２の列を「２」とする。このように、全ての電子棚札端末１−１〜１−２４が設置されている位置に「列」を示す番号が付けられている。
【００３１】
これにより、「商品棚番号」と「行」と「列」とで、電子棚札端末１−１〜１−２４が設置されている位置を一意に特定することができる。例えば、電子棚札端末１−１が設置されている位置は、商品棚番号「１０１」と、行「１」と、列「１」とで一意に特定することができる。また、電子棚札端末１−２１が設置されている位置は、商品棚番号「１０２」と、行「３」と、列「２」とで一意に特定することができる。
【００３２】
次に、ＥＳＬサーバ２の管理装置記憶部２３が記憶する管理情報データベースについて説明する。管理情報データベースは、電子棚札端末１の情報を示すＥＳＬ情報と、電子棚札端末１が設置されている位置を示す位置情報と、電子棚札端末１が表示する商品の商品情報とを関連付けて記憶している。
【００３３】
ＥＳＬ情報は、「ＥＳＬコード」と、「サイズ」と、「カラー」とを含む情報である。位置情報は、「商品棚番号」と、「行（縦方向）」と、「列（横方向）」とを含む情報である。商品情報は、「商品コード」と、「商品名」と、「説明」と、「価格」とを含む情報である。
【００３４】
図６、図７は、本実施形態におけるＥＳＬサーバ２の管理装置記憶部２３が記憶する管理情報データベースのデータ構造を示した概略図である。
【００３５】
管理情報データベースは表形式のデータ構造を有しており、「ＥＳＬコード」と、「サイズ」と、「カラー」と、「商品棚番号」と、「行（縦方向）」と、「列（横方向）」と、「商品コード」と、「商品名」と、「説明」と、「価格」とのデータ項目を有する。また、管理情報データベースは、各データ項目の情報を行毎に関連付けて記憶している。
【００３６】
「ＥＳＬコード」は、電子棚札システムに含まれる電子棚札端末１を一意に特定する識別子である。「サイズ」は、電子棚札端末１の大きさを示す情報である。具体的には、サイズ「Ｓ」は、電子棚札端末１の大きさは小型であることを示す。また、サイズ「Ｍ」は、電子棚札端末１の大きさは中型であることを示す。
【００３７】
「カラー」は、電子棚札端末１が備える表示部１２が表示することができる色を示す情報である。具体的には、カラー「カラー」は、電子棚札端末１が備える表示部１２はカラー表示を行うことができることを示す。また、カラー「モノクロ」は、電子棚札端末１が備える表示部１２はモノクロ表示を行うことができることを示す。
【００３８】
「商品棚番号」は、電子棚札端末１が設置されている棚を一意に特定する識別子である。「行（縦方向）」は、棚の段の位置（上下の位置）を特定する情報である。「行（縦方向）」は棚の最上段を「１」として上から順に数えた位置を示している。具体的には、図４に示したとおりであり、行（縦方向）「１」は棚の最上段の位置を示している。また、行（縦方向）「２」は棚の上から２番目の段の位置を示している。他の行（縦方向）についても同様に段の位置を示している。
【００３９】
「列（横方向）」は、棚の列の位置（左右の位置）を特定する情報である。列位置は、棚の最左列を「１」として、左から順に数えた位置を示している。具体的には、図４に示したとおりであり、列（横方向）「１」は棚の最左列の位置を示している。また、列（横方向）「２」は棚の左から２番目の位置を示している。他の列（横方向）についても同様に左側からの位置を示している。
【００４０】
なお、「商品棚番号」と、「行（縦方向）」と、「列（横方向）」とは関連付けて記憶されており、この３つの情報で、電子棚札端末１が設置されている位置を特定することができる。
【００４１】
「商品コード」は、商品の種類を一意に特定する識別子である。「商品名」は、商品の名称である。「説明」は、商品を説明する文章である。「価格」は、商品の価格である。なお、「商品コード」には、「商品名」と、「説明」と、「価格」とが関連付けられており、「商品コード」を一意に特定すると、「商品名」と、「説明」と、「価格」とが一意に特定される。
【００４２】
図６は、後述する位置設定モードが終了した時点における管理情報データベースの例を示している。図示する例では、ＥＳＬコード１００１で特定される電子棚札端末１と、ＥＳＬコード１０１３で特定される電子棚札端末１との位置情報が記憶されている。ＥＳＬコード１００１で特定される電子棚札端末１は、商品棚番号「１０１」と、行（縦方向）「１」と、列（横方向）「１」とで特定される位置に設置されていることを示す情報が記憶されている。また、ＥＳＬコード１００１で特定される電子棚札端末１は、商品棚番号「１０２」と、行（縦方向）「１」と、列（横方向）「１」とで特定される位置に設置されていることを示す情報が記憶されている。
【００４３】
図７は、後述する商品リンクモードを行った後の管理情報データベースの例を示している。図示する例では、ＥＳＬコード１００１〜１００６で特定される情報表示装置１に、位置情報と商品情報とが関連付けて記憶されている。これは、ＥＳＬコード１００１〜１００６で特定される情報表示装置１に対して、位置情報と商品情報との関連付けた完了したことを示している。
【００４４】
次に、管理情報データベースの各行が示す内容について説明する。例えば、行７０１に示す例では、ＥＳＬコード「１００１」で特定される電子棚札端末１のサイズは「Ｍ」であり、カラーは「モノクロ」であることを示している。
【００４５】
また、ＥＳＬコード「１００１」で特定される電子棚札端末１は、商品棚番号「１０１」と、行（縦方向）「１」と、列（横方向）「１」とで一意に特定される位置に設置されている。また、ＥＳＬコード「１００１」で特定される電子棚札端末１が表示する商品の商品コードは「１０５０１」であり、商品名は「酢豚の素」であり、説明は「四川風味」であり、価格は「４２０」であることを示している。他の行が示す内容については図示するとおりである。
【００４６】
次に、ＰＯＳサーバ６が記憶する商品情報データベースについて説明する。図８は本実施形態におけるＰＯＳサーバ６が記憶する商品情報データベースのデータ構造を示した概略図である。商品情報データベースは表形式のデータ構造を有しており、「商品コード」と、「商品名」と、「説明」と、「価格」とのデータ項目を有する。また、商品情報データベースは、各データ項目の情報を行毎に関連付けて記憶している。
【００４７】
「商品コード」は、商品の種類を一意に特定する識別子である。「商品名」は、商品の名称である。「説明」は、商品を説明する文章である。「価格」は、商品の価格である。なお、「商品コード」には、「商品名」と、「説明」と、「価格」とが関連付けられており、「商品コード」を一意に特定すると、「商品名」と、「説明」と、「価格」とが一意に特定される。
【００４８】
次に、商品情報データベースの各行が示す内容について説明する。例えば、行８０１に示す例では、商品コード「１０５０１」で特定される商品の商品名は「酢豚の素」であり、説明は「四川風味」であり、価格は「４２０」であることを示している。他の行が示す内容については図示するとおりである。
【００４９】
次に、電子棚札端末１の表示部１２が表示する画面例について図９〜図１２に基づいて説明する。電子棚札端末１の表示部１２が画面を表示する方法としては、ＥＳＬサーバ２が図９〜図１２に示す画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ２が図９〜図１２に示す画面に含まれる各種の情報を電子棚札端末１に送信し、電子棚札端末１の制御部１１が、送信された情報に基づいて図９〜図１２に示す商品名などを含んだ画像を表示するための画像データを作成し、表示部１２がこの画像データに基づいた画像を表示する方法を用いてもよい。
【００５０】
図９は、本実施形態における電子棚札端末１の表示部１２が何も表示していない場合の概略図である。電子棚札端末１の前面には、表示部１２と、バーコード１７とが設けられている。バーコード１７は、電子棚札端末１のＥＳＬコードを示すバーコードである。図９に示す例では、電子棚札端末１の表示部１２は、何も表示していない。
【００５１】
図１０は、位置情報を設定するための基準となる基準棚札である電子棚札端末１が表示する「基準棚札報知画面」を示した概略図である。基準棚札報知画面は、基準棚札であることを示す図形１２１を画面右上部に表示する。図１０に示す例では、電子棚札端末１の表示部１２は、基準棚札であることを示す図形１２１として「丸印」を画面右上部に表示している。
【００５２】
図１１は、基準棚札である電子棚札端末１が表示する「基準棚札商品情報表示画面」を示した概略図である。基準棚札商品情報表示画面は、基準棚札であることを示す図形１２１を画面右上部に表示し、「商品名」を画面上部中央に表示し、「説明」を画面中央部に表示し、「価格」を画面下部に表示する。
【００５３】
図１１に示す例では、電子棚札端末１の表示部１２は、「丸印」を画面右上部に表示し、「酢豚の素」を画面上部中央に表示し、「四川風味」を画面中央部に表示し、「４２０円」を画面下部に表示している。
【００５４】
図１２は、電子棚札端末１が表示する「商品情報表示画面」を示した概略図である。商品情報表示画面は、「商品名」を画面上部に表示し、「説明」を画面中央部に表示し、「価格」を画面下部に表示する。
【００５５】
図１２に示す例では、電子棚札端末１の表示部１２は、「麻婆豆腐の素」を画面上部に表示し、「四川風味」を画面中央部に表示し、「３８０円」を画面下部に表示している。
【００５６】
次に、ＥＳＬサーバ２が、電子棚札端末１（第１の情報表示装置）の位置情報を設定するための基準となる基準棚札（第２の情報表示装置）の位置情報を設定する手順について説明する。図１３は、基準棚札の位置情報を設定する動作モードである位置設定モードにおけるＥＳＬサーバ２の動作手順を示したフローチャートである。本実施形態では、棚１０１，１０２毎に、列「１」行「１」の電子棚札端末１を基準棚札として以下の設定処理を行う。
【００５７】
（ステップＳ１０１）操作者は、ハンディ端末５の入力部５６が備える入力ボタンを用いて、基準棚札とする電子棚札端末１が設置されている位置の位置情報（設置されている位置を示す情報）を入力する。図５に示した例では、棚１０１においては電子棚札端末１−１を基準棚札とするために、商品棚番号「１０１」と、行「１」と、列「１」とを位置情報として入力する。また、棚１０２においては電子棚札端末１−１３を基準棚札とする。ハンディ端末５の無線通信部５４は、入力された位置情報をＥＳＬサーバ２に送信する。ＥＳＬサーバ２の管理装置通信部２４は、ハンディ端末５から送信される位置情報を受信する。その後、ステップＳ１０２の処理に進む。
【００５８】
（ステップＳ１０２）操作者は、ハンディ端末５の入力部５６が備えるバーコードリーダに、基準棚札となる電子棚札端末１のバーコード１７を読み取らせる。ハンディ端末５の制御部５１は、読み取ったバーコード１７から電子棚札端末１のＥＳＬコードを取得する。ハンディ端末５の無線通信部５４は、取得したＥＳＬコードをＥＳＬサーバ２に送信する。ＥＳＬサーバ２の管理装置通信部２４は、ハンディ端末５から送信されるＥＳＬコードを受信する。その後、ステップＳ１０３の処理に進む。
【００５９】
（ステップＳ１０３）ＥＳＬサーバ２の管理装置制御部２１は、ステップＳ１０２で受信したＥＳＬコードに、ステップＳ１０１で受信した位置情報を関連付けて、管理装置記憶部２３が記憶する管理情報データベースに記憶させる。その後、ステップＳ１０４の処理に進む。このときの管理情報データベースは、例えば図６に示した管理情報データベースである。
【００６０】
（ステップＳ１０４）ＥＳＬサーバ２の管理装置制御部２１は、ステップＳ１０２で受信したＥＳＬコードで特定される電子棚札端末１に、基準棚札であることを示す図形１２１を表示させる。その後、処理を終了する。このとき、電子棚札端末１が表示する画面は、例えば図１０に示す画面である。
【００６１】
上述した手順により、ＥＳＬサーバ２は、基準となる電子棚札端末１の位置情報を記憶することができ、基準棚札である電子棚札端末１に基準棚札であることを示す図形１２１を表示させることができる。これにより、操作者は電子棚札端末１が表示する画面を見ることで、どの電子棚札端末１が基準棚札であるか否かを判断することができる。
【００６２】
次に、ＥＳＬサーバ２が、管理情報データベースが記憶する電子棚札端末１の情報に、位置情報と商品情報とを関連付けて記憶する手順について説明する。図１４は、管理情報データベースが記憶する電子棚札端末１の情報に、位置情報と商品情報とを関連付けて記憶する動作モードである商品リンクモードにおけるＥＳＬサーバ２の動作手順を示したフローチャートである。
【００６３】
（ステップＳ２０１）操作者は、ハンディ端末５の入力部５６が備えるバーコードリーダに基準棚札である電子棚札端末１のバーコード１７を読み取らせる。ハンディ端末５の制御部５１は、読み取ったバーコード１７から電子棚札端末１のＥＳＬコードを取得する。ハンディ端末５の無線通信部５４は、取得したＥＳＬコードをＥＳＬサーバ２に送信する。ＥＳＬサーバ２の管理装置通信部２４は、ハンディ端末５から送信されるＥＳＬコードを受信する。その後、ステップＳ２０２の処理に進む。
【００６４】
（ステップＳ２０２）ＥＳＬサーバ２の管理装置制御部２１は、管理装置記憶部２３が記憶する管理情報データベースから、ステップＳ２０１で受信したＥＳＬコードに関連付けて記憶されている位置情報を読み出す。その後、ステップＳ２０３の処理に進む。
【００６５】
（ステップＳ２０３）操作者は、ハンディ端末５の入力部５６が備えるバーコードリーダに、ステップＳ２０１でバーコードを読み取らせた電子棚札端末１に商品情報を表示させる商品に付されているバーコードを読み取らせる。なお、商品に付されているバーコードは、商品コードを示すバーコードである。ハンディ端末５の制御部５１は、読み取ったバーコードから商品コードを取得する。ハンディ端末５の無線通信部５４は、取得した商品コードをＥＳＬサーバ２に送信する。ＥＳＬサーバ２の管理装置通信部２４は、ハンディ端末５から送信される商品コードを受信する。その後、ステップＳ２０４の処理に進む。
【００６６】
（ステップＳ２０４）ＥＳＬサーバ２の管理装置制御部２１は、管理装置通信部２４を介して、ステップＳ２０３で受信した商品コードで特定される商品情報をＰＯＳサーバ６が記憶する商品情報データベースから取得する。その後、ステップＳ２０５の処理に進む。
【００６７】
（ステップＳ２０５）ＥＳＬサーバ２の管理装置制御部２１は、ステップＳ２０１で受信したＥＳＬコードに、ステップＳ２０４で取得した商品情報を関連付けて、管理装置記憶部２３が記憶する管理情報データベースに記憶させる。その後、ステップＳ２０６の処理に進む。
【００６８】
（ステップＳ２０６）ＥＳＬサーバ２の管理装置制御部２１は、ステップＳ２０１で受信したＥＳＬコードで特定される電子棚札端末１に、基準棚札であることを示す図形１２１と、ステップＳ２０４で取得した商品情報とを表示させる。その後、ステップＳ２０７の処理に進む。このとき、電子棚札端末１が表示する画面は、例えば図１１に示す画面である。
【００６９】
（ステップＳ２０７）操作者は、ハンディ端末５の入力部５６が備える入力ボタンを用いて、確定情報（相対位置を示す情報）を入力する。このとき操作者は、次に商品情報と位置情報とを関連付ける電子棚札端末１が、前回バーコードを読み取らせた電子棚札端末１の次の段（行）に設置されている場合、確定情報を２回入力する。また、操作者は、次に商品情報と位置情報とを関連付ける電子棚札端末１が、前回バーコードを読み取らせた電子棚札端末１と同じ段に設置されている場合、確定情報を１回入力する。ハンディ端末５の無線通信部５４は、入力された確定情報をＥＳＬサーバ２に送信する。ＥＳＬサーバ２の管理装置通信部２４は、ハンディ端末５から送信される確定情報を受信する。その後、ステップＳ２０８の処理に進む。
【００７０】
（ステップＳ２０８）ＥＳＬサーバ２の管理装置制御部２１は、ステップＳ２０７で、確定情報を２回受信したか否かを判定する。ＥＳＬサーバ２の管理装置制御部２１は、確定情報を２回受信したと判定した場合にはステップＳ２０９の処理に進み、それ以外の場合にはステップＳ２１１の処理に進む。
【００７１】
（ステップＳ２０９）操作者は、ハンディ端末５の入力部５６が備えるバーコードリーダに、次に商品情報と位置情報とを関連付ける電子棚札端末１のバーコード１７を読み取らせる。ハンディ端末５の制御部５１は、読み取ったバーコード１７から電子棚札端末１のＥＳＬコードを取得する。ハンディ端末５の無線通信部５４は、取得したＥＳＬコードをＥＳＬサーバ２に送信する。ＥＳＬサーバ２の管理装置通信部２４は、ハンディ端末５から送信されるＥＳＬコードを受信する。その後、ステップＳ２１０の処理に進む。
【００７２】
（ステップＳ２１０）ＥＳＬサーバ２の管理装置制御部２１は、ステップＳ２０９で受信したＥＳＬコードで特定される電子棚札端末１の位置情報を特定する。具体的には、特定する位置情報の行の値を、前回商品情報を関連付けた電子棚札端末１の行の値に１を加算した値とし、列の値を「１」と設定する。その後、ステップＳ２１４の処理に進む。
【００７３】
（ステップＳ２１１）ＥＳＬサーバ２の管理装置制御部２１は、ステップＳ２０７で、確定情報を１回受信したか否かを判定する。ＥＳＬサーバ２の管理装置制御部２１は、確定情報を１回受信したと判定した場合にはステップＳ２１２の処理に進み、それ以外の場合には処理を終了する。
【００７４】
（ステップＳ２１２）操作者は、ハンディ端末５の入力部５６が備えるバーコードリーダに、次に商品情報と位置情報とを関連付ける電子棚札端末１のバーコード１７を読み取らせる。ハンディ端末５の制御部５１は、読み取ったバーコード１７から電子棚札端末１のＥＳＬコードを取得する。ハンディ端末５の無線通信部５４は、取得したＥＳＬコードをＥＳＬサーバ２に送信する。ＥＳＬサーバ２の管理装置通信部２４は、ハンディ端末５から送信されるＥＳＬコードを受信する。その後、ステップＳ２１３の処理に進む。
【００７５】
（ステップＳ２１３）ＥＳＬサーバ２の管理装置制御部２１は、ステップＳ２１２で受信したＥＳＬコードで特定される電子棚札端末１の位置情報を特定する。具体的には、特定する位置情報の行の値を、前回商品情報を関連付けた電子棚札端末１の行の値と同一の値とし、列の値を、前回商品情報を関連付けた電子棚札端末１の列の値に１を加算した値と設定する。その後、ステップＳ２１４の処理に進む。
【００７６】
（ステップＳ２１４）操作者は、ハンディ端末５の入力部５６が備えるバーコードリーダに、ステップＳ２０９またはステップＳ２１２でバーコードを読み取らせた電子棚札端末１に商品情報を表示させる商品に付されているバーコードを読み取らせる。ハンディ端末５の制御部５１は、読み取ったバーコードから商品コードを取得する。ハンディ端末５の無線通信部５４は、取得した商品コードをＥＳＬサーバ２に送信する。ＥＳＬサーバ２の管理装置通信部２４は、ハンディ端末５から送信される商品コードを受信する。その後、ステップＳ２１５の処理に進む。
【００７７】
（ステップＳ２１５）ＥＳＬサーバ２の管理装置制御部２１は、管理装置通信部２４を介して、ステップＳ２１４で受信した商品コードで特定される商品情報をＰＯＳサーバ６が記憶する商品情報データベースから取得する。その後、ステップＳ２１６の処理に進む。
【００７８】
（ステップＳ２１６）ＥＳＬサーバ２の管理装置制御部２１は、ステップＳ２０９またはステップＳ２１２で受信したＥＳＬコードに、ステップＳ２１０またはステップＳ２１３で特定した位置情報と、ステップＳ２１５で取得した商品情報を関連付けて、管理装置記憶部２３が記憶する管理情報データベースに記憶させる。その後、ステップＳ２１７の処理に進む。
【００７９】
（ステップＳ２１７）ＥＳＬサーバ２の管理装置制御部２１は、ステップＳ２０９またはステップＳ２１２で受信したＥＳＬコードで特定される電子棚札端末１に、ステップＳ２１５で取得した商品情報を表示させる。その後、ステップＳ２０７の処理に戻る。このとき、電子棚札端末１が表示する画面は、例えば図１２に示す画面である。
【００８０】
なお、ステップＳ２０９またはステップＳ２１２において、位置情報の基準となる基準棚札のバーコード１７を読み取った場合、ＥＳＬサーバ２の管理装置制御部２１は、別の棚１０１，１０２における商品リンクモードの処理を開始したと判断し、再度ステップＳ２０１から処理を開始する。これにより、複数の棚１０１，１０２における商品リンクモードの処理を連続して行うことができる。
【００８１】
上述したとおり、本実施形態によれば、初めに、位置設定モードの処理を行い、基準棚札の位置情報を設定する。そして、位置設定モードで設定した基準棚札の位置情報を基準として、電子棚札端末１に商品情報を関連付ける際に、同時に位置情報も関連付ける。また、本実施形態では、確認情報を受信した回数によって、次に商品情報と位置情報との関連付けを行う電子棚札端末１は、前回商品情報と位置情報との関連付けを行った電子棚札端末１が設置されている位置のどちらの位置に設置されているかを判定する（相対位置を判定する）。
【００８２】
これにより、作業者は、位置情報を入力することなく、情報表示装置１に商品情報を関連付ける際に位置情報についても関連付けることができる。
【００８３】
また、本実施形態では、位置情報の基準となる基準棚札を位置設定モードで決定し、基準棚札に基づいて、他の電子棚札端末１の位置情報を決定する。そのため、本発明は、電子棚札端末１を設置する場所によらず適用することができる。例えば、電子棚札端末１を設置する棚の段数が増減した場合や、棚の一段に設置する電子棚札端末１の数が増減した場合においても本発明を用いることができる。
【００８４】
（第２の実施形態）
次に、本発明の第２の実施形態について説明する。本実施形態では、位置情報の基準となる基準棚札を、棚１０１〜１０２が備える棚板１１１〜１１８毎に設定する。
【００８５】
本実施形態では、棚１０１〜１０２が備える棚板１１１〜１１８毎に基準棚札を設定するため、基準棚札のバーコード１７が読み取られた場合に、読み取った基準棚札の位置情報に基づいて、次に関連付けを行う電子棚札端末１が設置されている位置を特定する。
【００８６】
なお、本実施形態における電子棚札システムを含んだ販売店システムの構成は、第１の実施形態における電子棚札システムを含んだ販売店システムの構成と同様の構成である。また、本実施形態における電子棚札端末１の構成は、第１の実施形態における電子棚札端末１の構成と同様の構成である。また、本実施形態におけるＥＳＬサーバ２の構成は、第１の実施形態におけるＥＳＬサーバ２の構成と同様の構成である。また、本実施形態におけるハンディ端末５の構成は、第１の実施形態におけるハンディ端末５の構成と同様の構成である。また、本実施形態における棚１０１，１０２の外観は、第１の実施形態における棚１０１，１０２の外観と同様の外観である。
【００８７】
次に、ＥＳＬサーバ２が、電子棚札端末１の位置情報を設定するための基準となる基準棚札の位置情報を設定する手順について説明する。本実施形態における基準棚札の位置情報を設定する手順は第１の実施形態における基準棚札の位置情報を設定する手順と同様の手順である。但し、本実施形態では棚１０１，１０２が備える棚板１１１〜１１８の左端に設置される電子棚札端末１−１，１−４，１−８，１−１１，１−１３，１−１６，１−２４，１−２３を基準棚札として設定する。
【００８８】
次に、ＥＳＬサーバ２が、管理情報データベースが記憶する電子棚札端末１の情報に、位置情報と商品情報とを関連付けて記憶する手順について説明する。図１５は、本実施形態において、管理情報データベースが記憶する電子棚札端末１の情報に、位置情報と商品情報とを関連付けて記憶する動作モードである商品リンクモードにおけるＥＳＬサーバ２の動作手順を示したフローチャートである。
【００８９】
（ステップＳ３０１）操作者は、ハンディ端末５の入力部５６が備えるバーコードリーダに電子棚札端末１のバーコード１７を読み取らせる。ハンディ端末５の制御部５１は、読み取ったバーコード１７から電子棚札端末１のＥＳＬコードを取得する。ハンディ端末５の無線通信部５４は、取得したＥＳＬコードをＥＳＬサーバ２に送信する。ＥＳＬサーバ２の管理装置通信部２４は、ハンディ端末５から送信されるＥＳＬコードを受信する。その後、ステップＳ３０２の処理に進む。
【００９０】
（ステップＳ３０２）ＥＳＬサーバ２の管理装置制御部２１は、管理装置記憶部２３が記憶する管理情報データベースに基づいて、ステップＳ３０１で受信したＥＳＬコードで特定される電子棚札端末１は基準棚札であるか否かを判定する。例えば、管理装置制御部２１は、受信したＥＳＬコードに位置情報が関連付けられている場合には基準棚札であると判定する。ＥＳＬサーバ２の管理装置制御部２１は、ステップＳ３０１で受信したＥＳＬコードで特定される電子棚札端末１は基準棚札であると判定した場合にはステップＳ３０３の処理に進み、それ以外の場合にはステップＳ３０４の処理に進む。
【００９１】
（ステップＳ３０３）ＥＳＬサーバ２の管理装置制御部２１は、管理装置記憶部２３が記憶する管理情報データベースから、ステップＳ３０１で受信したＥＳＬコードに関連付けて記憶されている位置情報を読み出す。その後、ステップＳ３０６の処理に進む。
【００９２】
（ステップＳ３０４）ＥＳＬサーバ２の管理装置制御部２１は、ステップＳ３０１で受信したＥＳＬコードで特定される電子棚札端末１の位置情報を特定する。具体的には、特定する位置情報の行の値を、前回商品情報を関連付けた電子棚札端末１の行の値と同一の値とし、列の値を、前回商品情報を関連付けた電子棚札端末１の列の値に１を加算した値と設定する。その後、ステップＳ３０５の処理に進む。
【００９３】
（ステップＳ３０５）ＥＳＬサーバ２の管理装置制御部２１は、ステップＳ３０１で受信したＥＳＬコードに、ステップＳ３０４で特定した位置情報を関連付けて、管理装置記憶部２３が記憶する管理情報データベースに記憶させる。その後、ステップＳ３０６の処理に進む。
【００９４】
（ステップＳ３０６）操作者は、ハンディ端末５の入力部５６が備えるバーコードリーダに、ステップＳ３０１でバーコードを読み取らせた電子棚札端末１に商品情報を表示させる商品に付されているバーコードを読み取らせる。ハンディ端末５の制御部５１は、読み取ったバーコードから商品コードを取得する。ハンディ端末５の無線通信部５４は、取得した商品コードをＥＳＬサーバ２に送信する。ＥＳＬサーバ２の管理装置通信部２４は、ハンディ端末５から送信される商品コードを受信する。その後、ステップＳ３０７の処理に進む。
【００９５】
（ステップＳ３０７）ＥＳＬサーバ２の管理装置制御部２１は、管理装置通信部２４を介して、ステップＳ３０６で受信した商品コードで特定される商品情報をＰＯＳサーバ６が記憶する商品情報データベースから取得する。その後、ステップＳ３０８の処理に進む。
【００９６】
（ステップＳ３０８）ＥＳＬサーバ２の管理装置制御部２１は、ステップＳ３０１で受信したＥＳＬコードに、ステップＳ３０７で取得した商品情報を関連付けて、管理装置記憶部２３が記憶する管理情報データベースに記憶させる。その後、ステップＳ３０９の処理に進む。
【００９７】
（ステップＳ３０９）ＥＳＬサーバ２の管理装置制御部２１は、ステップＳ３０１で受信したＥＳＬコードで特定される電子棚札端末１に、ステップＳ３０７で取得した商品情報を表示させる。その後、ステップＳ３１０の処理に進む。
【００９８】
（ステップＳ３１０）操作者は、商品リンクモードを終了する場合、ハンディ端末５の入力部５６が備える入力ボタンを用いて終了を指示する入力を行う。ハンディ端末５の無線通信部５４は、入力部５６が終了を指示する入力を受け付けた場合、終了指示情報をＥＳＬサーバ２に送信する。なお、ハンディ端末５の無線通信部５４は、入力部５６が終了を指示する入力を受け付けていない場合は何も処理を行わない。ＥＳＬサーバ２の管理装置通信部２４は、ハンディ端末５から終了指示情報が送信された場合、終了指示情報を受信する。ＥＳＬサーバ２の管理装置制御部２１は、終了指示情報を受信したか否かを判定する。ＥＳＬサーバ２の管理装置制御部２１は、終了指示情報を受信したと判定した場合には処理を終了し、それ以外の場合にはステップＳ３０１の処理に戻る。
【００９９】
上述したとおり、本実施形態では、位置情報の基準となる基準棚札を、棚１０１〜１０２が備える棚板１１１〜１１８毎に設定する。そして、基準棚札のバーコード１７が読み取られた場合に、読み取った基準棚札の位置情報に基づいて、次に関連付けを行う電子棚札端末１が設置されている位置を特定する。これにより、作業者は、次に関連付けを行う電子棚札端末１が設置されている段が、前回関連付けを行った電子棚札端末１が設置されている段と異なっている場合においても、確定情報を２回入力する必要がなくなる。よって、より操作を簡略化することができ、作業の効率もよくなる。
【０１００】
（第３の実施形態）
次に、本発明の第３の実施形態について説明する。本実施形態では、基準棚札である電子棚札端末１に、位置情報を示すバーコードを表示させる。
【０１０１】
なお、本実施形態における電子棚札システムを含んだ販売店システムの構成は、第１の実施形態における電子棚札システムを含んだ販売店システムの構成と同様の構成である。また、本実施形態における電子棚札端末１の構成は、第１の実施形態における電子棚札端末１の構成と同様の構成である。また、本実施形態におけるＥＳＬサーバ２の構成は、第１の実施形態におけるＥＳＬサーバ２の構成と同様の構成である。また、本実施形態におけるハンディ端末５の構成は、第１の実施形態におけるハンディ端末５の構成と同様の構成である。また、本実施形態における棚１０１，１０２の外観は、第１の実施形態における棚１０１，１０２の外観と同様の外観である。
【０１０２】
次に、ＥＳＬサーバ２の管理装置記憶部２３が記憶する管理情報データベースについて説明する。本実施形態における管理情報データベースと第１の実施形態における管理情報データベースとで異なる点は、「表示属性」のデータ項目を有する点である。
【０１０３】
図１６は、本実施形態におけるＥＳＬサーバ２の管理装置記憶部２３が記憶する管理情報データベースのデータ構造を示した概略図である。
【０１０４】
管理情報データベースは表形式のデータ構造を有しており、「ＥＳＬコード」と、「サイズ」と、「カラー」と、「商品棚番号」と、「行（縦方向）」と、「列（横方向）」と、「商品コード」と、「商品名」と、「説明」と、「価格」と、「表示属性」とのデータ項目を有する。また、管理情報データベースは、各データ項目の情報を行毎に関連付けて記憶している。
【０１０５】
「表示属性」は、電子棚札端末１が、商品情報を表示するか、位置情報を示すバーコードを表示するかを示す情報である。具体的には、表示属性「０」は、電子棚札端末１が商品情報を表示することを示す。また、表示属性「１」は、電子棚札端末１が位置情報を示すバーコードを表示することを示す。
【０１０６】
次に、管理情報データベースの各行が示す内容について説明する。例えば、行１６０１に示す例では、ＥＳＬコード「１００１」で特定される電子棚札端末１のサイズは「Ｍ」であり、カラーは「モノクロ」であることを示している。
【０１０７】
また、ＥＳＬコード「１００１」で特定される電子棚札端末１は、商品棚番号「１０１」と、行（縦方向）「１」と、列（横方向）「１」とで一意に特定される位置に設置されている。また、ＥＳＬコード「１００１」で特定される電子棚札端末１が表示する商品の商品コードは「１０５０１」であり、商品名は「酢豚の素」であり、説明は「四川風味」であり、価格は「４２０」であることを示している。
【０１０８】
また、ＥＳＬコード「１００１」で特定される電子棚札端末１は、位置情報を示すバーコードを表示することを示している。他の行が示す内容については図示するとおりである。
【０１０９】
次に、電子棚札端末１の表示部１２が表示する画面例について図１７に基づいて説明する。図１７は、本実施形態における電子棚札端末１の表示部１２が表示する「位置情報バーコード表示画面」を示した概略図である。位置情報バーコード表示画面は、位置情報を示すバーコードを画面中央部に表示する。図示する例では、電子棚札端末１の表示部１２は、位置情報を示すバーコード１７０１を画面中央部に表示している。
【０１１０】
次に、ＥＳＬサーバ２が、電子棚札端末１の位置情報を設定するための基準となる基準棚札の位置情報を設定し、基準棚札である電子棚札端末１に位置情報を示すバーコードを表示させる手順について説明する。図１８は、本実施形態において、ＥＳＬサーバ２が、電子棚札端末１の位置情報を設定するための基準となる基準棚札の位置情報を設定し、基準棚札である電子棚札端末１に位置情報を示すバーコードを表示させる手順を示したフローチャートである。
【０１１１】
（ステップＳ４０１）操作者は、ハンディ端末５の入力部５６が備える入力ボタンを用いて、基準棚札とする電子棚札端末１が設置されている位置の位置情報（設置されている位置を示す情報）を入力する。ハンディ端末５の無線通信部５４は、入力された位置情報をＥＳＬサーバ２に送信する。ＥＳＬサーバ２の管理装置通信部２４は、ハンディ端末５から送信される位置情報を受信する。その後、ステップＳ４０２の処理に進む。
【０１１２】
（ステップＳ４０２）操作者は、ハンディ端末５の入力部５６が備えるバーコードリーダに、基準棚札となる電子棚札端末１のバーコード１７を読み取らせる。ハンディ端末５の制御部５１は、読み取ったバーコード１７から電子棚札端末１のＥＳＬコードを取得する。ハンディ端末５の無線通信部５４は、取得したＥＳＬコードをＥＳＬサーバ２に送信する。ＥＳＬサーバ２の管理装置通信部２４は、ハンディ端末５から送信されるＥＳＬコードを受信する。その後、ステップＳ４０３の処理に進む。
【０１１３】
（ステップＳ４０３）ＥＳＬサーバ２の管理装置制御部２１は、ステップＳ４０２で受信したＥＳＬコードに、ステップＳ４０１で受信した位置情報を関連付けて、管理装置記憶部２３が記憶する管理情報データベースに記憶させる。その後、ステップＳ４０４の処理に進む。
【０１１４】
（ステップＳ４０４）ＥＳＬサーバ２の管理装置制御部２１は、ステップＳ４０２で受信したＥＳＬコードで特定される電子棚札端末１に、位置情報を示すバーコード１７０１を表示させる。その後、処理を終了する。このとき、電子棚札端末１が表示する画面は、例えば図１７に示す画面である。
【０１１５】
上述した手順により、ＥＳＬサーバ２は、基準となる電子棚札端末１の位置情報を記憶することができ、さらに、基準棚札である電子棚札端末１に位置情報を示すバーコード１７０１を表示させることができる。なお、位置情報を示すバーコード１７０１は、位置情報を示すことができればどのようなバーコード（例えば、ＣＯＤＥ１２８など）を用いてもよい。
【０１１６】
次に、電子棚札端末１を棚１０１，１０２に配置する際の手順について説明する。図１９は、本実施形態において、電子棚札端末１を棚１０１，１０２に配置する際の手順を示したフローチャートである。
【０１１７】
（ステップＳ５０１）作業者は、ステップＳ４０１〜ステップＳ４０４の処理により予め作成した基準棚札を、棚１０１，１０２の左上に配置する。その後、ステップＳ５０２の処理に進む。
【０１１８】
（ステップＳ５０２）作業者は、商品用の棚札を、商品を陳列する位置に合わせて、棚１０１，１０２の任意の位置に配置する。その後、処理を終了する。
【０１１９】
次に、ＥＳＬサーバ２が、管理情報データベースが記憶する電子棚札端末１の情報に、位置情報と商品情報とを関連付けて記憶する手順（リンク作業の手順）について説明する。図２０は、本実施形態において、管理情報データベースが記憶する電子棚札端末１の情報に、位置情報と商品情報とを関連付けて記憶させる際の、操作者の作業手順を示したフローチャートである。
【０１２０】
（ステップＳ６０１）操作者は、開始キーを押下した後、基準棚札である電子棚札端末１に表示されている位置情報を示すバーコードをハンディ端末５に読み取らせ、位置情報をＥＳＬサーバ２に対して送信させる。その後、ステップＳ６０２の処理に進む。
【０１２１】
（ステップＳ６０２）操作者は、基準棚札である電子棚札端末１と同じ棚１０１，１０２に設置されている電子棚札端末１のバーコード１７をハンディ端末５に読み取らせ、ＥＳＬコードをＥＳＬサーバ２に対して送信させる。その後、ステップＳ６０３の処理に進む。
【０１２２】
（ステップＳ６０３）操作者は、ステップＳ６０２でバーコード１７を読み取らせた電子棚札端末１に関連付ける商品に付されているバーコードをハンディ端末５に読み取らせ、商品コードをＥＳＬサーバ２に対して送信させる。その後、ステップＳ６０４の処理に進む。
【０１２３】
（ステップＳ６０４）操作者は、処理を終了するか否かを示す情報をハンディ端末５に入力する。操作者は、処理を終了することを示す情報をハンディ端末５に入力した場合（例えば終了ボタンを押下した場合）、処理を終了し、それ以外の場合はステップＳ６０２の処理に戻る。
【０１２４】
次に、ＥＳＬサーバ２が、管理情報データベースが記憶する電子棚札端末１の情報に、位置情報と商品情報とを関連付けて記憶する際の、ハンディ端末５の動作について説明する。図２１は、本実施形態において、管理情報データベースが記憶する電子棚札端末１の情報に、位置情報と商品情報とを関連付けて記憶させる際の、ハンディ端末５の動作手順を示したフローチャートである。
【０１２５】
（ステップＳ７０１）ハンディ端末５の入力部５６が備える「開始キー」が押下された場合、ステップＳ７０２の処理に進む。
【０１２６】
（ステップＳ７０２）ハンディ端末５の入力部５６が備えるバーコードリーダは、基準棚札である電子棚札端末１が表示している位置情報を示すバーコード１７０１を読み取る。ハンディ端末５の制御部５１は、読み取ったバーコード１７０１から位置情報を取得する。ハンディ端末５の無線通信部５４は、取得した位置情報をＥＳＬサーバ２に送信する。その後、ステップＳ７０３の処理に進む。
【０１２７】
（ステップＳ７０３）ハンディ端末５の入力部５６が備えるバーコードリーダは、基準棚札である電子棚札端末１と同じ棚１０１，１０２に設置されている電子棚札端末１のバーコード１７を読み取る。ハンディ端末５の制御部５１は、読み取ったバーコード１７から電子棚札端末１のＥＳＬコードを取得する。その後、ステップＳ７０４の処理に進む。
【０１２８】
（ステップＳ７０４）ハンディ端末５の入力部５６が備えるバーコードリーダは、ステップＳ７０３でバーコード１７を読み取った電子棚札端末１に関連付ける商品に付されているバーコードを読み取る。ハンディ端末５の制御部５１は、読み取ったバーコードから商品コードを取得する。その後、ステップＳ７０５の処理に進む。
【０１２９】
（ステップＳ７０５）ハンディ端末５の無線通信部５４は、ステップＳ７０３で取得したＥＳＬコードと、ステップＳ７０４で取得した商品コードとをＥＳＬサーバ２に送信する。その後、ステップＳ７０６の処理に進む。
【０１３０】
（ステップＳ７０６）ハンディ端末５の制御部５１は、処理を終了すると判定した場合はステップＳ７０７の処理に進み、それ以外の場合にはステップＳ７０３の処理に戻る。例えば、ハンディ端末５の制御部５１は、「終了キー」が押下された場合、処理を終了すると判定する。
【０１３１】
（ステップＳ７０７）ハンディ端末５の無線通信部５４は、終了コードをＥＳＬサーバ２に送信する。その後、処理を終了する。
【０１３２】
次に、ＥＳＬサーバ２が、管理情報データベースが記憶する電子棚札端末１の情報に、位置情報と商品情報とを関連付けて記憶する際の、ＥＳＬサーバ２の動作について説明する。図２２は、本実施形態において、管理情報データベースが記憶する電子棚札端末１の情報に、位置情報と商品情報とを関連付けて記憶させる際の、ＥＳＬサーバ２の動作手順を示したフローチャートである。
【０１３３】
（ステップＳ８０１）ＥＳＬサーバ２の管理装置通信部２４は、基準棚札である電子棚札端末１が設置されている位置を示す位置情報を受信する。その後、ステップＳ８０２の処理に進む。
（ステップＳ８０２）ＥＳＬサーバ２の管理装置通信部２４は、ＥＳＬコードを受信する。その後、ステップＳ８０３の処理に進む。
（ステップＳ８０３）ＥＳＬサーバ２の管理装置通信部２４は、商品コードを受信する。その後、ステップＳ８０４の処理に進む。
【０１３４】
（ステップＳ８０４）ＥＳＬサーバ２の管理装置制御部２１は、ステップＳ８０３で受信した商品コードで特定される商品情報をＰＯＳサーバ６が記憶する商品情報データベースから取得する。その後、ステップＳ８０５の処理に進む。
【０１３５】
（ステップＳ８０５）ＥＳＬサーバ２の管理装置制御部２１は、ステップＳ８０１で受信した位置情報に基づいて、ステップＳ８０２で受信したＥＳＬコードで特定される電子棚札端末１が設置されている位置を示す位置情報と、ステップＳ８０２で受信したＥＳＬコードと、ステップＳ８０４で取得した商品情報とを、管理装置記憶部２３が記憶する管理情報データベースに記憶させる。その後、ステップＳ８０６の処理に進む。
【０１３６】
（ステップＳ８０６）ＥＳＬサーバ２の管理装置制御部２１は、ステップＳ８０５で管理情報データベースに記憶させた情報に基づいて、ステップＳ８０２で受信したＥＳＬコードで特定される電子棚札端末１に商品情報を表示させる。その後、ステップＳ８０７の処理に進む。
【０１３７】
（ステップＳ８０７）ＥＳＬサーバ２の管理装置制御部２１は、管理装置通信部２４が終了コードを受信したか否かに基づいて、ハンディ端末５の入力部５６が備える「終了キー」が押下されたか否かを判定する。ＥＳＬサーバ２の管理装置制御部２１は、管理装置通信部２４が終了コードを受信した場合、ハンディ端末５の入力部５６が備える「終了キー」が押下されたと判定する。ＥＳＬサーバ２の管理装置制御部２１は、ハンディ端末５の入力部５６が備える「終了キー」が押下されたと判定した場合には処理を終了し、それ以外の場合にはステップＳ８０２の処理に戻る。
【０１３８】
上述した手順により、基準棚札である電子棚札端末１に位置情報を示すバーコードを表示させることができる。また、基準棚札である電子棚札端末１が位置情報を示すバーコード１７０１を表示する場合においても、ＥＳＬサーバ２の管理装置制御部２１は、電子棚札端末１に商品情報と位置情報とを関連付けることができ、さらに、電子棚札端末１に商品情報を表示させることができる。
【０１３９】
また、上述した処理を全ての電子棚札端末１に対して行うことで、管理情報データベースには全ての電子棚札端末１の位置情報が記憶される。よって、電子棚札端末１の表示属性を「１」から「０」変更した場合においても、電子棚札端末１の表示部１２にバーコード１７０１が表示されないだけで、位置情報は消えずに管理情報データベースに残る。
【０１４０】
従って、表示属性を自由に変更する方法があれば、必要なときに、任意の電子棚札端末１の表示部１２に位置情報を示すバーコード１７０１を表示させることが可能である。
【０１４１】
次に、電子棚札端末１が表示する情報を変更させる際の、ハンディ端末５の動作について説明する。図２３は、本実施形態において、電子棚札端末１が表示する情報を変更させる際の、ハンディ端末５の動作手順を示したフローチャートである。
【０１４２】
（ステップＳ９０１）ハンディ端末５の入力部５６が備えるバーコードリーダは、電子棚札端末１のバーコード１７を読み取る。ハンディ端末５の制御部５１は、読み取ったバーコード１７から電子棚札端末１のＥＳＬコードを取得する。その後、ステップＳ９０２の処理に進む。
【０１４３】
（ステップＳ９０２）ハンディ端末５の無線通信部５４は、表示変更コマンドと、ステップＳ９０１で取得したＥＳＬコードとをＥＳＬサーバ２に送信する。その後、処理を終了する。
【０１４４】
次に、電子棚札端末１が表示する情報を変更させる際の、ＥＳＬサーバ２の動作について説明する。図２４は、本実施形態において、電子棚札端末１が表示する情報を変更させる際の、ＥＳＬサーバ２の動作手順を示したフローチャートである。
【０１４５】
（ステップＳ１００１）ＥＳＬサーバ２の管理装置通信部２４は、ハンディ端末５から送信された表示変更コマンドと、ＥＳＬコードとを受信する。その後、ステップＳ１００２の処理に進む。
【０１４６】
（ステップＳ１００２）ＥＳＬサーバ２の管理装置制御部２１は、管理情報データベースが記憶する表示属性のうち、ステップＳ１００１で受信したＥＳＬコードの表示属性を変更する。その後、ステップＳ１００３の処理に進む。例えば、ステップＳ１００１で受信したＥＳＬコードの表示属性が「０」である場合、表示属性を「１」に変更する。また、ステップＳ１００１で受信したＥＳＬコードの表示属性が「１」である場合、表示属性を「０」に変更する。
【０１４７】
（ステップＳ１００３）ＥＳＬサーバ２の管理装置制御部２１は、ステップＳ１００２で変更した変更後の表示属性は「１」であるか否かを判定する。ＥＳＬサーバ２の管理装置制御部２１は、変更後の表示属性は「１」であると判定した場合にはステップＳ１００５の処理に進み、それ以外の場合にはステップＳ１００４の処理に進む。
【０１４８】
（ステップＳ１００４）ＥＳＬサーバ２の管理装置制御部２１は、ステップＳ１００１で受信したＥＳＬコードで一意に特定される電子棚札端末１に、商品情報を表示させる。その後、処理を終了する。
【０１４９】
（ステップＳ１００５）ＥＳＬサーバ２の管理装置制御部２１は、ステップＳ１００１で受信したＥＳＬコードで一意に特定される電子棚札端末１に、位置情報を示すバーコード１７０１を表示させる。その後、処理を終了する。
【０１５０】
上述した手順により、電子棚札端末１の表示部１２に表示させる内容を、商品情報または位置情報を示すバーコード１７０１のいずれかに、任意に変更することができる。これにより、基準棚札である電子棚札端末１にも、商品情報を表示させることができる。
【０１５１】
なお、上述した第１の実施形態から第３の実施形態では、電子棚札端末１を基準棚札として用いたが、これに限らない。例えば、電子棚札システムに大型電子棚札装置が含まれている場合、大型電子棚札端末を基準棚札として用いてもよい。図２５は、大型電子棚札端末が設置された棚の外観を示した外観図である。図示する例では、棚１０１，１０２の上部に大型電子棚札端末１０１１，１０１２が設置されている。なお、大型電子棚札端末１０１１，１０１２以外の外観は、図５に示した外観と同様の外観である。
【０１５２】
例えば、大型電子棚札端末１０１１，１０１２を基準棚札とした場合、大型電子棚札端末１０１１，１０１２の行の値を「０」とし、列の値を「１」とする。これにより、第１の実施形態および第２の実施形態において、大型電子棚札端末１０１１，１０１２を基準棚札として用いることができる。
【０１５３】
また、基準棚札とする電子棚札端末１が配置されている位置は、上記の実施形態における位置に限らない。例えば、図５において、電子棚札端末１−１と電子棚札端末１−１２とを基準棚札としてもよい。この場合、電子棚札端末１−１２よりも右側および下側には電子棚札端末１が存在しないため、電子棚札端末１−１２が読み取られた場合、棚１０１に設置されている電子棚札端末１の関連付けは完了したとして、棚１０２の処理に移行するようにしてもよい。
【０１５４】
また、全ての電子棚札端末１に商品情報と位置情報とを関連付けを行った後は、基準棚札とした電子棚札端末１に表示させている基準棚札であることを示す図形１２１を消すようにしてもよい。なぜなら、全ての電子棚札端末１に位置情報が関連付けられているため、任意の電子棚札端末１の位置情報を利用することができるためである。また、全ての電子棚札端末１に商品情報と位置情報とを関連付けを行った後は、一部の電子棚札端末１を取り外してもよい。なぜなら、管理情報データベースが電子棚札端末１と商品情報と位置情報とを関連付けて記憶しているからである。
【０１５５】
また、位置情報は、電子棚札端末１が設置されている位置を一意に特定することができる情報であればどのような情報でもよい。例えば、商品棚番号と、棚板番号のみで電子棚札端末１が設置されている位置を一意に特定することができれば、位置情報は「商品棚番号」と「棚板番号」とを組み合わせた情報であってもよい。また、フロアの階数と、フロア内の位置を示すコードと、売場を示すコードと、商品棚番号とで電子棚札端末１が設置されている位置を一意に特定することができれば、位置情報は「フロアの階数」と、「フロア内の位置を示すコード」と、「売場を示すコード」と、「商品棚番号」とを組み合わせた情報であってもよい。このように、店の運用に応じて位置情報を変更してもよい。
【０１５６】
以上、図面を参照して本発明の実施形態について詳しく説明してきたが、具体的な構成は上述のものに限られることはなく、この発明の要旨を逸脱しない範囲内において様々な設計変更等をすることが可能である。
【０１５７】
例えば、上記の実施形態では、電子棚札システムをスーパーマーケットやコンビニエンスストア等の小売店で用いる例に基づいて説明したが、本発明は上記に限られるものではない。例えば、銀行や倉庫などにおいて、電子棚札端末を各種の情報を表示する情報表示装置として用いてもよい。なお、情報表示装置の構成は電子棚札端末１の構成と同様の構成である。
【符号の説明】
【０１５８】
１，１−１〜１−２４・・・電子棚札端末、２・・・ＥＳＬサーバ、３・・・アクセスポイント、４−１〜４−３・・・中継機、５・・・ハンディ端末、６・・・ＰＯＳサーバ、７・・・ＰＯＳレジスタ、１１，５１・・・制御部、１２，５２・・・表示部、１３，５３・・・記憶部、１４，５４・・・無線通信部、１５，５５・・・電池、１７，１７０１・・・バーコード、２１・・・管理装置制御部、２３・・・管理装置記憶部、２４・・・管理装置通信部、５６・・・入力部、１００・・・バックヤード、１０１，１０２・・・棚、１１１〜１１８・・・棚板、２００・・・店舗、１０１１，１０１２・・・大型電子棚札端末
【図１】
2011093668.tif 000003
【図２】
2011093668.tif 000004
【図３】
2011093668.tif 000005
【図４】
2011093668.tif 000006
【図５】
2011093668.tif 000007
【図６】
2011093668.tif 000008
【図７】
2011093668.tif 000009
【図８】
2011093668.tif 000010
【図９】
2011093668.tif 000011
【図１０】
2011093668.tif 000012
【図１１】
2011093668.tif 000013
【図１２】
2011093668.tif 000014
【図１３】
2011093668.tif 000015
【図１４】
2011093668.tif 000016
【図１５】
2011093668.tif 000017
【図１６】
2011093668.tif 000018
【図１７】
2011093668.tif 000019
【図１８】
2011093668.tif 000020
【図１９】
2011093668.tif 000021
【図２０】
2011093668.tif 000022
【図２１】
2011093668.tif 000023
【図２２】
2011093668.tif 000024
【図２３】
2011093668.tif 000025
【図２４】
2011093668.tif 000026
【図２５】
2011093668.tif 000027